【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
タイル状に配置された大画面の放射ディスプレイ（１００）を制御するための方法であって、前記放射ディスプレイ（１００）は少なくとも複数の第１の細分区域を含み、前記第１の細分区域の各々は複数の放射装置を含み、
前記方法は、
前記第１の細分区域の各々について、前記第１の細分区域の各々が当該第１の細分区域のための第１の細分区域目標値に対して最適化されるように前記放射装置を設定するステップと、
前記放射装置が設定された後に、
前記放射ディスプレイ（１００）について、前記放射ディスプレイが前記放射ディスプレイ（１００）のための放射ディスプレイ目標値に対して最適化されるように前記第１の細分区域を設定するステップとを含む、方法。
【請求項２】
前記複数の第１の細分区域は複数の第２の細分区域にグループ化され、前記第１の細分区域を設定する前記ステップは、
前記第２の細分区域の各々について、前記第２の細分区域の各々が当該第２の細分区域のための第２の細分区域目標値に対して最適化されるように第１の細分区域を設定するステップと、
その後、
前記放射ディスプレイ（１００）について、前記放射ディスプレイが前記放射ディスプレイ（１００）のための放射ディスプレイ目標値に対して最適化されるように前記第２の細分区域を設定するステップとを行うことによって実行される、請求項１に記載の方法。
【請求項３】
前記複数の第２の細分区域は複数のさらに別の細分区域にグループ化され、前記第２の細分区域を設定する前記ステップは、
各々のさらに別の細分区域について、前記さらに別の細分区域が前記さらに別の細分区域のためのなお一層の細分区域目標値に対して最適化されるように前記第２の細分区域を設定するステップと、
前記第２の細分区域を設定した後、
前記放射ディスプレイ（１００）について、前記放射ディスプレイが前記放射ディスプ
レイ（１００）のための放射ディスプレイ目標値に対して最適化されるように前記さらに別の細分区域を設定するステップとを行うことによって実行される、請求項２に記載の方法。
【請求項４】
前記第１の細分区域は放射ディスプレイタイル（１１８）である、請求項１に記載の方法。
【請求項５】
前記第１の細分区域は放射ディスプレイモジュール（１２０）であり、前記第２の細分区域は、ディスプレイタイル（１１８）である、請求項２または３のいずれかに記載の方法。
【請求項６】
前記さらに別の細分区域は、放射ディスプレイスーパータイルである、請求項３に記載の方法。
【請求項７】
各々の第１の細分区域について、前記放射装置を設定するステップは、前記放射装置が当該第１の細分区域の前記第１の細分区域目標値の１０％以内、好ましくは５％以内、最も好ましくは０．８％以内となるように前記放射装置を設定するステップを含む、請求項１から６のいずれかに記載の方法。
【請求項８】
前記放射ディスプレイ（１００）について、前記第１の細分区域を設定するステップは、前記第１の細分区域が当該放射ディスプレイ（１００）の放射ディスプレイ目標値の１０％以内、好ましくは５％以内、最も好ましくは０．８％以内となるように前記第１の細分区域を設定するステップを含む、請求項１、４または７のいずれかに記載の方法。
【請求項９】
各々の第１の細分区域について、前記放射装置を設定するステップは、前記放射装置が当該第１の細分区域の前記第１の細分区域目標値の１０％以内、好ましくは５％以内、最も好ましくは０．８％以内となるように前記放射装置を設定するステップを含み、
前記第１の細分区域を設定するステップは、前記第１の細分区域が当該第２の細分区域の第２の細分区域目標値の１０％以内、好ましくは５％以内、最も好ましくは０．８％以内となるように前記第１の細分区域を設定するステップを含み、
前記第２の細分区域を設定するステップは、前記第２の細分区域が前記放射ディスプレイ（１００）の前記放射ディスプレイ目標値の１０％以内、好ましくは５％以内、最も好ましくは０．８％以内となるように前記第２の細分区域を設定するステップを含む、請求項２または５に記載の方法。
【請求項１０】
各々の第１の細分区域について、前記放射装置を設定するステップは、前記放射装置が当該第１の細分区域の前記第１の細分区域目標値の１０％以内、好ましくは５％以内、最も好ましくは０．８％以内となるように前記放射装置を設定するステップを含み、
前記第１の細分区域を設定するステップは、前記第１の細分区域が当該第２の細分区域の第２の細分区域目標値の１０％以内、好ましくは５％以内、最も好ましくは０．８％以内となるように前記第１の細分区域を設定するステップを含み、
前記第２の細分区域を設定するステップは、前記第２の細分区域が当該さらに別の細分区域の前記さらに別の細分区域目標値の１０％以内、好ましくは５％以内、最も好ましくは０．８％以内となるように前記第２の細分区域を設定するステップを含み、
前記さらに別の細分区域を設定するステップは、前記さらに別の細分区域が放射ディスプレイの放射ディスプレイ目標値の１０％以内、好ましくは５％以内、最も好ましくは０．８％以内となるように前記さらに別の細分区域を設定するステップを含む、請求項３に記載の方法。
【請求項１１】
目標値のうちいずれかまたは複数の値を決定する際に、環境パラメータが考慮に入れら
れる、請求項１から１０のいずれかに記載の方法。
【請求項１２】
前記環境パラメータは、少なくとも１つの放射装置、第１の細分区域、第２の細分区域またはさらに別の細分区域の温度を測定することにより得られる、請求項１１に記載の方法。
【請求項１３】
前記環境パラメータを考慮に入れるステップは、周囲温度を測定するステップと、前記測定された周囲温度から少なくとも１つの放射装置または細分区域のうちの１つの温度を推定するステップとを含む、請求項１１または１２に記載の方法。
【請求項１４】
前記環境パラメータは周囲照明、周囲湿度のうちいずれかまたは両方である、請求項１１から１３のいずれかに記載の方法。
【請求項１５】
前記細分区域目標値および／または放射ディスプレイ目標値のうちいずれかまたは複数の値を決定する際に、対応する細分区域に記憶される動作パラメータが考慮に入れられる、請求項１から１４のいずれかに記載の方法。
【請求項１６】
前記動作パラメータは、前記第１の細分区域もしくは前記第２の細分区域もしくは前記さらに別の細分区域の経年変化、または前記第１の細分区域もしくは前記第２の細分区域もしくは前記さらに別の細分区域の全体のオンの時間のうちいずれかまたは両方を含む、請求項１５に記載の方法。
【請求項１７】
前記放射装置を設定するステップは、制御パラメータを検索しかつ調整するステップを含む、請求項１から１６のいずれかに記載の方法。
【請求項１８】
前記放射装置を設定するステップおよび前記細分区域を設定するステップは、前記放射装置および対応する細分区域を較正するための制御変数を適応させる較正アルゴリズムを含む、請求項１から１７のいずれかに記載の方法。
【請求項１９】
前記較正は周期的に実行される、請求項１８に記載の方法。
【請求項２０】
前記較正は輝度および／または色の較正を含む、請求項１８または１９のいずれかに記載の方法。
【請求項２１】
タイル状に配置された大画面の放射ディスプレイ（１００）に関連付けられる計算装置上で実行される際に請求項１から２０に記載の方法のいずれかを実行するためのコンピュータプログラムプロダクト。
【請求項２２】
請求項２１に記載のコンピュータプログラムプロダクトを記憶する機械読取可能なデータ記憶装置。
【請求項２３】
請求項２１に記載のコンピュータプログラムプロダクトであって、コンピュータプログラムがローカルまたはワイドエリア通信ネットワークを介して伝送される、コンピュータプログラムプロダクト。
【請求項２４】
タイル状に配置された大画面の放射ディスプレイ（１００）とともに用いるための制御ユニットであって、前記放射ディスプレイ（１００）は少なくとも第１の細分区域の組を含み、前記第１の細分区域の各々は複数の放射装置を含み、前記制御ユニットは前記タイル状に配置された大画面の放射ディスプレイ（１００）の設定を制御するよう適合され、前記制御ユニットは、
各々の第１の細分区域が当該第１の細分区域のための第１の細分区域目標値に最適化されるように各々の第１の細分区域の前記放射装置を設定するための手段と、
前記放射ディスプレイ（１００）が当該放射ディスプレイ（１００）のための放射ディスプレイ目標値に最適化されるように、各々の第１の細分区域のための前記第１の細分区域目標値を考慮に入れて前記放射ディスプレイ（１００）の前記第１の細分区域を設定するための手段とを含むことを特徴とする、制御ユニット。
【請求項２５】
タイル状に配置された大画面の放射ディスプレイ（１００）とともに用いるための、請求項２４に記載の制御ユニットであって、
前記第１の細分区域は第２の細分区域の組にグループ化され、前記第１の細分区域を設定するための前記手段は、
各々の第２の細分区域が当該第２の細分区域のための第２の細分区域目標値に最適化されるように、各々の第１の細分区域のための前記第１の細分区域目標値を考慮に入れて各々の前記第２の細分区域の前記第１の細分区域を設定するための手段と、
前記放射ディスプレイ（１００）が当該放射ディスプレイ（１００）のための放射ディスプレイ目標値に最適化されるように、各々の前記第２の細分区域のための前記第２の細分区域目標値を考慮に入れて前記放射ディスプレイ（１００）の前記第２の細分区域を設定するための手段とを含む、制御ユニット。